(57)【特許請求の範囲】
【請求項１】
交点で互いに結合した左右一体の挟持部材が、支点より下方に突出する挟持片と上方に突出する把持片とを有し、この両挟持片が常時閉じる弾性を付勢する弾性部材を取り付けた洗濯バサミにおいて、
前記把持片の各端部にはアームの一端が連接され前記各アームは内側が凹状になった円弧形状をしており、各アームの他端にはそれぞれ襞が形成され、
前記両挟持片が閉じた状態においては各アームの他端及び各アームの襞はそれぞれ交差し、前記両挟持片が開いた状態においては前記各アーム及び各襞はそれぞれ互いに連続することを特徴とする絡まない洗濯バサミ。
【発明の詳細な説明】
【技術分野】
【０００１】  本発明は、一般家庭で使用する洗濯バサミに関するものです。【０００２】  従来の吊り下げて使用する洗濯バサミは、収納時及び使用時、洗濯バサミのアーム部分が釣り針のように鉤状となり、池の物に引っかかり易く使いにくい物でした。【０００３】  これを解消するため、たくさんの絡まない洗濯バサミが発表されていますが、構造が複雑なため生産コストが高かったり、洗濯バサミ本来の挟む力を弱めてしまう物や、摘みにくい物ががほとんどでした。【０００４】  なお、本願発明に関する公知技術として次の特許文献１及び２、実用新案文献３を挙げることが出来る。【０００５】
【特許文献１】  特許公開２００４−２０９１２８
【特許文献２】  特許公開２００４−６５７５６
【特許文献３】  登録実用新案第３０２５５７５号
【発明の開示】
【発明が解決しようとする課題】
【０００６】  特許文献１のように、従来の技術に関わる絡まない洗濯バサミは、構造が複雑で製造コストがかかり壊れ易くなります。【０００７】  特許文献２のように、洗濯バサミ本来の基本性能である、挟む力を弱めてしまう物や摘みにくい物も有ります。【０００８】  特許文献３のように、衛生面でも、虫が住み着いたり汚れ易くなり、実用化が難しい物でした。【０００９】  本発明は、このような点に鑑みて成されたものであり、その目的は構造を簡略化し、低コスト化を実現することです。
さらに部品点数を増やさずに、従来の洗濯バサミの基本性能を損なう事無く、衛生面でも耐久性でも実用に耐えうるものを作ることです。
【課題を解決するための手段】
【００１０】
上述の課題を解決するために、本発明の第１の洗濯バサミは、交点で互いに結合した左右一体の挟持部材が、支点より下方に突出する挟持片と上方に突出する把持片とを有し、この両挟持片が常時閉じる弾性を付勢する弾性部材を取り付けた洗濯バサミにおいて、前記把持片の各端部にはアームの一端が連接され前記各アームは内側が凹状になった円弧形状をしており、各アームの他端にはそれぞれ襞が形成され、前記両挟持片が閉じた状態においては各アームの他端及び各アームの襞はそれぞれ交差し、前記両挟持片が開いた状態においては前記各アーム及び各襞はそれぞれ互いに連続することを特徴とする絡まない洗濯バサミです。
【発明の効果】
【００１５】
本発明に係る洗濯バサミによれば、把持片の各端部にはアームの一端が連接され各アームは内側が凹状になった円弧形状をしており、各アームの他端にはそれぞれ襞が形成され、両挟持片が閉じた状態においては各アームの他端及び各アームの襞はそれぞれ交差し、両挟持片が開いた状態においては各アーム及び各襞はそれぞれ互いに連続するので、この洗濯バサミを物干ハンガーに取り付けた場合、両挟持片が閉じた状態においても開いた状態においても、各アームの他端は閉じているので、他の洗濯バサミと絡み合うことが無くなる。
【発明を実施するための最良の形態】
【００１６】  以上、本発明の実施の形態を図面に基づき詳細に説明する。【００１７】  図１，に示す本洗濯バサミは、図３を理解するための参考図です。【００１８】  図２，に示す本洗濯バサミは、図４を理解するための参考図です。【００１９】
図３に示す本洗濯バサミは、把持片の各端部３の部分でアーム１，２の先端が内側方向を向き、アーム１，２の先端部が交差することにより、閉空間６を形成し、他の洗濯バサミと絡まない構造と成ります。
一方のアーム２には長さ方向にスリット（穴）が設けられ、他方のアーム１の幅はスリット幅よりも狭く形成され、アーム１がアーム２のスリットに挿入される構造になっています。
また、アーム２は２本の柱で支えているため、十分な強度を保つことが出来ます。さらに、外部からの絡む物品等が空間６に進入することを防ぐことが出来ます。
また、図３に示す洗濯バサミは、その構造は図１に示す洗濯バサミと同じですが、把持片の各端部とアームとは円弧形状の滑らか曲面になるように形成することによって、把持片を指で摘んだとき、突出するアームの先端が指にぶつかることを防ぐとともに、指に接して感じる部分の突出感や違和感を軽減し、使用感の良いものになっています。
【００２０】
図４に示す洗濯バサミは、把持片の各端部３の部分でアーム１、２の先端が内側方向を向き、アーム１，２の先端部が交差することにより、閉空間６を形成し、他の洗濯バサミと絡まない構造となります。
各アーム１，２は常に交差した状態になるので、アーム１，２および把持片によって閉空間６が形成され、外部からの絡む物品等が空間６に進入することを防ぐことが出来ます。
また、図４に示す洗濯バサミは、その構造は図２に示す洗濯バサミと同じですが、把持片の各端部とアームとは円弧形状の滑らか曲面になるように形成することによって、把持片を指で摘んだとき、突出するアームの先端が指にぶつかることを防ぐとともに、指に接して感じる部分の突出感や違和感を軽減し、使用感の良いものになっています。
さらに、各アームの先端にはそれぞれ襞が形成されるので、両挟持片が閉じた状態においては各アームの他端及び各アームの襞はそれぞれ交差し、両挟持片が開いた状態においては各アーム及び各襞はそれぞれ互いに連続するので、この洗濯バサミを物干ハンガーに取り付けた場合、両挟持片が閉じた状態においても開いた状態においても、各アームの他端は閉じているので、他の洗濯バサミと絡み合うことが無くなる。
アーム１，２は同じ形状をしているので、図３の物品に比べ、部品の種類を一品少なくして生産コストを安くすることが出来ます。
アーム１，２は幅が薄くなるので、厚みを広くして強度を高めます。
左右のアームの部分を同じ形状にする為、アームの先端を少し長めに作り厚さを広げて吊し下げ用の穴を設けています。
このままでは上部中央に引っかかりやすい溝が出来るので、４の部分に襞を付けて厚さを広くして溝が出来ないようにしています。
これにより、挟持片に物を挟んでもアーム上部に絡みやすい空間が出来ないようにしています。
【００２２】  なお、上記の本洗濯バサミは、単品で使用することも出来ますが、任意の形状のフレーム等に複数個の本洗濯バサミを取り付けて使用することにより、最大限に絡まない洗濯バサミの能力を発揮するものです。【００２３】  以上、本発明の実施の形態を説明したが、本発明の範囲はこれに限定されるものではない。
例えば３のアーム曲げ角及びアーム１，２の長さ，幅，厚み，形状，及び襞４のデザインあるいは吊り下げ用の穴の位置等、状況に応じて適宜選択されるものである。【００２４】  また、上記説明では吊り下げタイプの洗濯バサミについて説明しているが、用途は洗濯物に限らず、書類やアクセサリー等吊り下げ用として広く用いることが可能です。
構造体の材質においては適当な任意の材質のものが利用でき、形状，大きさ，色彩等も任意に選定することができる。
【図面の簡単な説明】
【００２５】
【図１】本発明の第２の洗濯バサミの斜視図を示す図である。
【図２】本発明の第１の洗濯バサミの斜視図を示す図である。
【図３】本発明の第２の洗濯バサミのデザインの一例を示す図である。
【図４】本発明の第１の洗濯バサミのデザインの一例を示す図である。
【符号の説明】
【００２６】  １，２    絡まない洗濯バサミのアーム部分。
３        絡まない洗濯バサミの曲げ部分、及び使用時指で摘む部分。
４        洗濯物を挟んだときに引っかかりやすい状態にならない為の襞。
５        絡まない洗濯バサミの曲げ部分の曲げ角。
６        絡まない構造と成る閉じられた空間。
７        アーム上部に設けられた吊り下げる為の穴。
【図１】
0003852099.tif 000002
【図２】
0003852099.tif 000003
【図３】
0003852099.tif 000004
【図４】
0003852099.tif 000005